(57)【要約】      （修正有）【課題】破損しにくく、かつ、破損した場合であっても、部品の交換が可能で、使用場所や使用目的に合わせて使用形態を簡便に変更することができ、持ち運びや清掃が容易な散水器を提供する。【解決手段】水供給口４及び第一の水通路５を有する水供給スタンド１と、第二の水通路を有する竿丈パイプ３とを有する散水器であって、竿丈パイプ３の中央部と水供給スタンド１の上部とは、竿丈パイプ３が水平方向に回転可能なように、金属製の接続部２により接続されており、竿丈パイプ３には、複数のノズル８を有する連結管７が取り付けられており、散水用の水は、水供給口４から供給され、第一の水通路５、第二の水通路及び連結管７を通過して、複数のノズル８から噴霧される。【選択図】図１
0003232135.tif 000002
【実用新案登録請求の範囲】
【請求項１】
水供給口及び第一の水通路を有する水供給スタンドと、第二の水通路を有する竿丈パイプと、を有する散水器であって、
前記竿丈パイプの中央部と水供給スタンドの上部とは、前記竿丈パイプが水平方向に回転可能なように、金属製の接続部により接続されており、
前記竿丈パイプには、複数のノズルを有する連結管が取り付けられており、
散水用の水は、前記水供給口から供給され、前記第一の水通路、第二の水通路及び前記連結管を通過して、前記複数のノズルから噴霧されるものであること
を特徴とする散水器。
【請求項２】
前記連結管が、内部に第三の水通路を有するリング状管である、請求項１に記載の散水器。
【請求項３】
前記連結管が、可動自在に、連結部材を介して竿丈パイプに取り付けられている、請求項１又は２に記載の散水器。
【請求項４】
前記連結管に取り付けられたノズル数が２〜８個である、請求項１〜３のいずれかに記載の散水器。
【請求項５】
前記複数のノズルを有する連結管が、前記竿丈パイプの中央から長手方向に左右対称となるように、竿丈パイプに取り付けられている、請求項１〜４のいずれかに記載の散水器。
【請求項６】
前記竿丈パイプに取り付けられている連結管の数が、２〜８個である、請求項１〜５のいずれかに記載の散水器。
【請求項７】
前記複数のノズルを有する連結管を所定位置に配向させることにより、水が前記ノズルから所定方向に噴霧されると同時に、前記竿状パイプが水平方向に回転するものである、請求項１〜６のいずれかに記載の散水器。
【請求項８】
前記水供給スタンドの水供給口には、水源から延びる送水ホースの口径に合わせて、交換可能なジョイントが取り付けられている、請求項１〜７のいずれかに記載の散水器。
【考案の詳細な説明】
【技術分野】
【０００１】
本考案は、農地、公園、庭園、グラウンド等で、水を散布（噴霧）する散水器に関する。
【背景技術】
【０００２】
従来、農地、公園、庭園、グラウンド等では、植物のため、埃を沈めるため、涼を得るため等の種々の目的で、水が散布されている。
水を散布する方法として、散水器を用いる方法がある。
散水器には、種々の形態のものがある（特許文献１等）。
なかでも、水供給スタンドの上部に、散水ノズルを有する散水部が設置され、散水部が回転して、水を散布する散水器が好適に使用されている。
【０００３】
しかしながら、従来の散水部が回転する散水器は回転部に負荷がかかり、回転部が破損しやすいという問題があった。また、回転部の破損を修復できない場合、散水器全体が使用できなくなる場合があった。
【０００４】
また、散水器の設置場所によっては、散水部を回転させる必要のない場合や、散水部が回転するスペースがなく、回転させたくない場合もある。さらに、散水量、散水方向、散水範囲等を、日時や場所、使用目的等によって変更したい場合もある。
このような場合に、従来の散水器では、臨機応変に対応することはできなかった。
【０００５】
さらに、散水場所によっては、水道水のみならず、井戸水を使用したい場面もある。
しかしながら、通常、井戸水を引くホースの口径は大きいため、散水器の供給口には繋がらず、井戸水を使用できない場合があった。
【０００６】
上述のように、散水器には種々の要求があり、これらの要求を満たす、より使いやすい散水器が望まれていた。
【先行技術文献】
【特許文献】
【０００７】
【特許文献１】特開平６−１８２２６６号公報
【考案の概要】
【考案が解決しようとする課題】
【０００８】
本考案は、上記実情に鑑みてなされたものであり、破損しにくく、かつ、破損した場合であっても、破損部分の部品の交換が可能で、使用場所や使用目的等に合わせて使用形態を簡便に変更することができ、持ち運びや清掃が容易な散水器を提供することを課題とする。
【課題を解決するための手段】
【０００９】
本考案者らは、上記課題を解決すべく、散水器について鋭意検討した。
その結果、水供給口及び第一の水通路を有する水供給スタンドと、第二の水通路を有する竿丈パイプとを有する散水器であって、前記竿丈パイプの中央部と水供給スタンドの上部とが、前記竿丈パイプが水平方向に回転可能なように、金属製の交換可能な接続部により接続されており、前記竿丈パイプには、複数のノズルを有する連結管が取り付けられており、散水用の水が、前記水供給口から供給され、前記第一の水通路、第二の水通路及び前記連結管の内部を通過して、前記複数のノズルから噴霧される散水器は、破損しにくく、破損した場合であっても、破損部分の部品のみを交換可能で、かつ、持ち運びや清掃が容易で、使用場所や使用目的等に合わせて、散水量、散水方向、散水範囲等を簡便に変更することができることを見出し、本考案を完成するに至った。
【００１０】
かくして本発明によれば、下記〔１〕〜〔７〕の散水器が提供される。
〔１〕水供給口及び第一の水通路を有する水供給スタンドと、第二の水通路を有する竿丈パイプと、を有する散水器であって、
前記竿丈パイプの中央部と水供給スタンドの上部とは、前記竿丈パイプが水平方向に回転可能なように、金属製の接続部により接続されており、
前記竿丈パイプには、複数のノズルを有する連結管が取り付けられており、
散水用の水は、前記水供給口から供給され、前記第一の水通路、第二の水通路及び前記連結管を通過して、前記複数のノズルから噴霧されるものであること
を特徴とする散水器。
【００１１】
〔２〕前記連結管が、内部に第三の水通路を有するリング状管である、〔１〕に記載の散水器。
〔３〕前記連結管が、可動自在に、連結部材を介して竿丈パイプに取り付けられている、〔１〕又は〔２〕に記載の散水器。
〔４〕前記連結管に取り付けられたノズル数が２〜８個である、〔１〕〜〔３〕のいずれかに記載の散水器。
〔５〕前記複数のノズルを有する連結管が、前記竿丈パイプの中央から長手方向に左右対称となるように、竿丈パイプに取り付けられている、〔１〕〜〔４〕のいずれかに記載の散水器。
【００１２】
〔６〕前記竿丈パイプに取り付けられている連結管の数が、２〜８個である、〔１〕〜〔５〕のいずれかに記載の散水器。
〔７〕前記複数のノズルを有する連結管を所定位置に配向させることにより、水が前記ノズルから所定方向に噴霧されると同時に、前記竿状パイプが水平方向に回転するものである、〔１〕〜〔６〕のいずれかに記載の散水器。
〔８〕前記水供給スタンドの水供給口には、水源から延びる送水ホースの口径に合わせて、交換可能なジョイントが取り付けられている、〔１〕〜〔７〕のいずれかに記載の散水器。
【考案の効果】
【００１３】
本考案の散水器は、水供給スタンドと散水部（竿状パイプ）とを接続する接続部が金属製であるため、破損しにくく耐久性に優れるものである。また、たとえ接続部が破損した場合であっても、接続部のみを交換することができ、接続部の破損のみによって、散水器全体が使用不可となることがなく、経済的である。
さらに、接続部以外の部品も、直接又は連結部材等を介して、取り外し自在に取り付けられているため、分解が可能で、運搬や清掃が容易である。また、破損した場合であっても破損した部品のみを交換すればよいため、経済的である。
また、使用場所や使用目的等に合わせて、使用する竿状パイプや連結管の種類を選択でき、ノズル数やノズルの向き（連結管の向き）を変えて、散水量や散水方向、散水範囲を自在に変更することができる。
さらに、水供給口に取り付けられているジョイントを交換することにより、水道水のほか、井戸水等も利用することが可能である。
【図面の簡単な説明】
【００１４】
【図１】図１は、本考案の散水器の一例を表す概要図である。
【図２】図２（ａ）、（ｂ）は、接続部の一例を表す概要図である。
【図３】図３は、連結管の例を表す概要図である。
【図４】図４は、リング状管とノズルの接続の一例を表す概要図である。
【図５】図５は、連結部材の一例を表す概要図である。
【図６】図６中、（ａ）は、散水器が回転する実施形態を、（ｂ）は、散水器が回転しない実施形態を表す図である。
【考案を実施するための形態】
【００１５】
以下、本考案の散水器の実施形態を、図面を参照しながら詳細に説明する。
図１に、本考案の散水器の一例を示す。
図１に示す散水器は、水供給口及び第一の水通路を有する水供給スタンド１と、接続部２と、第二の水通路を有する竿丈パイプ３とを有する。
水供給スタンド１は、水源からの水を取り入れる水供給口４、竿丈パイプ３へと水を供給する第一の水通路５、及び、スタンド部６を有する。このものは、水源からの水を水供給口４から取り入れ、第一の水通路を通して、後述する接続部を介して竿丈パイプ３へと供給する役目、及び、散水器全体を支える役目を有する。
【００１６】
水供給口４には、水源から延びる水供給用の送水ホース１０が接続される。
水供給口４と、送水ホース１０を接続する際には、送水ホース１０の口径に合わせて交換可能なジョイントを介するのが好ましい。
ジョイントとしては、一端が水供給口４と接続可能で、他端が送水ホース１０と接続可能な構造を有するものであれば特に制約はない。
例えば、水供給口４と、水道の蛇口につなげた家庭用ホース（送水ホース）とを、ジョイント４ａを介して繋げて水道水を取り入れることができる。また、ジョイント４ａをジョイント４ｂに交換して、水供給口４と、井戸の水を取り入れる口径の大きな（例えば４０φ）送水ホースを繋げて、井戸水を取り入れることもできる。
【００１７】
第一の水通路５は、水供給口４から供給された水を、後述する接続部を介して竿丈パイプ（第二の水通路）３に通水する役目を有する。
第一の水通路５としては、内部が水通路となる汎用の樹脂製ホースや、金属製又は樹脂製のパイプを使用することができる。なかでも、耐久性に優れ、後述するスタンド６と共に、散水器全体を支えることができることから、真鍮、ステンレス等の金属製のパイプを用いるのが好ましい。
【００１８】
第一の水通路５の口径は、特に制限されないが、通常１〜５ｃｍ、汎用性の観点から、好ましくは２〜４ｃｍである。
【００１９】
水供給スタンド１は、散水器全体を支える役目を担う、スタンド部６を有する。
スタンド部６の形状は、散水器全体を支えることができれば、特に制限はない。例えば、ボックス型、円筒型、円錐型、三脚型、四脚型等のスタンドを用いることができる。なかでも、汎用性があり、折りたためて持ち運びが容易な三脚型のスタンドを好適に用いることができる。
【００２０】
図１に示すスタンド部６は、第一の水通路５の所定の箇所に、３本の足が折り畳み可能に接続されている。スタンド部６をこのような形態にすることで、持ち運びや設置が容易となる。スタンド部６の材質は特に制限はないが、耐久性等の観点から、真鍮、ステンレス等の金属製であるのが好ましい。
【００２１】
水供給スタンド１の高さは、特に制限されず、散水器の使用目的、使用場所に合わせて適宜設定すればよいが、通常、５０〜１５０ｃｍであり、取り扱い容易性、持ち運び容易性等から、７５〜１００ｃｍであるのが好ましい。
【００２２】
前記水供給スタンド１の上部には、竿丈パイプ３が、後述する接続部２を介して、水平方向に回転可能となるように設置されている。
竿丈パイプ３は、内部に第二の水通路を有し、前記第一の水通路５から通水された水を、後述する複数のノズルを有する連結管（第三の水通路）７へと通水する役目を有する。
竿状パイプ３（第二の水通路）としては、前記連結管７へと水を供給することができる筒状の管であれば特に制約はなく、汎用の、金属製又は樹脂製の竿丈の通水パイプを用いることができる。
なかでも、破損しにくく耐久性に優れる、真鍮やステンレス等の金属製のパイプであるのが好ましい。
【００２３】
竿丈パイプ３の長さは特に制限はなく、用いる水供給スタンド１の大きさ、使用場所、使用目的等によって決定すればよいが、通常、２０〜１８０ｃｍ、好ましくは３０〜１００ｃｍである。
竿丈パイプ３の口径は、特に制限はないが、前記第一の水通路の口径と同等又はそれ以下であるのが好ましく、通常０．７〜４ｃｍ、汎用性の観点から、好ましくは１〜２ｃｍである。
また、竿状パイプ３は、使用場所、使用目的等に合わせて、長さや口径、後述する設置される連結管の数等が異なるものに、交換して使用することができる。
【００２４】
竿丈パイプ３の中央部は、水供給スタンド１の上部と、金属製の接続部２を介して接続されている。
接続部２は、前記水供給スタンド１の第一の水通路５から供給された水を、前記竿丈パイプ３へと通水でき、かつ、竿丈パイプ３を回転可能とするものである。
接続部２としては、例えば、図２（ａ）、（ｂ）に示すものが挙げられる。
【００２５】
図２（ａ）に示す接続部２は、前記第一の水通路５の上端のネジ孔５ａと接続するためのネジ孔を内側に有する２ａ、竿丈パイプ３を回転可能にするための案内管２ｂ、及び、竿丈パイプ３の中央部に設置された、内側にネジ孔を有する連結部３ａと接続するためのネジ孔２ｃを有する。
案内管２ｂとしては、図２（ａ）に記載の形状のものに制限されず、竿丈パイプ３を回転させることができるものであれば、他の形状ものであってもよい。
また、第一の水通路５、竿状パイプ３との連結方法も、ネジ式に限らず、水密な状態で通水ができ、連結ができる方法であれば、接続カプラーを用いる方法等、他の方法を採用することができる。
【００２６】
図２（ｂ）に示す接続部２は、前記図２（ａ）に示す接続部の上部に、ボールジョイント部２ｄを有するものである。
ボールジョイント部２ｄは、前記ネジ孔２ｃと連結するネジ孔を有する連結具２ｅと、ボールヘッド２ｆを有する通水管２ｇと、竿状パイプ３の連結部３ａと連結するためのネジ孔２ｈを有する。
このようなボールジョイント部２ｄを設けることで、竿状パイプ３の傾きを微調整することができる。そのため、竿状パイプ３を水平に保持したり、よりスムーズに回転させるようにすることができる。
【００２７】
接続部２を構成とする金属としては、特に制約はないが、汎用性が高い、真鍮、ステンレス等が好ましい。
接続部２が金属製であるため、従来の樹脂製の接続部に比べて破損しにくく、耐久性に優れる。また、たとえ破損した場合であっても、独立した部品であるため、容易に交換が可能である。
さらに、水供給スタンド１、接続部２、竿丈パイプ３に分解できるため、清掃が容易で、しかも持ち運びが容易である。
【００２８】
竿丈パイプ３には、複数のノズルを有する連結管７が取り付けられている。
連結管７としては、内部に第三の水通路を有し、前記第二の水通路（竿状パイプ３）から通水された水を、連結管７に取り付けられた複数のノズル８に供給することができるものであれば、特に制約はない。
【００２９】
複数のノズルを有する連結管７としては、特に制約はなく、図１に示すリング状管のほか、図３の（ａ）に示す竿丈管や（ｂ）に示す十字管（図３（ａ）、（ｂ）においては、便宜上、ノズル付きの連結管を示している。）、多角状管等であってもよい。
なかでも、汎用性に優れ、通水がよりスムーズであることから、リング状管が好ましい。
連結管の素材は特に制約はないが、耐久性に優れることから、真鍮、ステンレス製等の金属製であるのが好ましい。
【００３０】
連結管７には、複数のノズル８が取り付けられている。
ノズルとしては、水の噴射口を有し、連結管の内部（第三の水通路）を通過してきた水を最終的に噴霧することができるものであれば、特に制約はなく、汎用のノズルを用いることができる。
【００３１】
ノズル８は、内部の清掃が容易で、破損した場合等に交換可能であるため、連結管７に、取り外し自在に取り付けられているのが好ましい。
例えば、図４に示すように、連結管（リング状管）７には、内側にネジ孔７ａ（メスネジ）が設置され、ノズル８の一端には、連結管７のネジ孔７ａと連結するためのネジ孔８ａ（オスネジ）が設置される。これにより、ノズル８は、連結管７に、取り外し自在に連結される。
【００３２】
連結管７が有するノズルの数（一つの連結管に取り付けられたノズルの数）は、竿丈パイプ３の長さや、取り付ける連結管７の数や大きさにもよるが、通常２〜８個であり、汎用性や取り扱い容易性、散水効率等の観点から、３〜７個であるのが好ましい。
【００３３】
複数のノズル８は、図３、図４に示すごとく、連結管７の同じ面に取り付けられているのが好ましい。
ノズルが連結管の同じ面に取り付けられていることで、連結管の向きを変えるだけで、すべてのノズル（噴射口）の向きを、水を噴霧したい方向に向けることができる。
ノズル付きリング状管としては、汎用の、ステンレス製の、丸５頭口（片面にノズル８が５個設置されたリング状管）や丸７頭口（片面にノズル８が７個設置されたリング状管）を用いることができる。図１に示す散水器では丸５頭口を用いている。
【００３４】
竿丈パイプ３に取り付けられる連結管７の合計数は、連結管７の大きさ、竿丈パイプ３の長さ、水供給スタンド１の大きさ等に合わせて適宜決定すればよいが、通常２〜１０個であり、散布効率等の観点から、好ましくは２〜８個である。
【００３５】
また、複数のノズルを有する連結管７は、竿丈パイプ３の中央から長手方向に左右対称となるように、竿丈パイプ３に取り付けられているのが好ましい。
この場合、竿丈パイプ３に取り付けられる連結管７の合計数は、２個、４個、６個又は８個であるのが好ましく、４個又は６個であるのがより好ましい。
このように偶数個の連結管を左右対称となるように設置することで、散水器全体のバランスを保ち、後述するように、竿丈パイプ３のスムーズな回転を容易にすることができる。
図１に示す散水器においては、連結管７が、竿丈パイプ３の中央から長手方向に左右対称に、竿丈パイプ３の上部に、左右に２個ずつ、一定間隔を空けて設置されている。
【００３６】
ノズル付き連結管７は、取り外し自在に、竿状パイプ３に取り付けられているのが好ましい。
取り外し自在とすることで、例えば、使用場所や使用目的に合わせて、ノズル数の異なる連結管に交換したり（例えば、ノズル数が３個のリング状管から、ノズル数が７個のリング状管に置き換えたり）、リング状管を他の形状の連結管に交換したりすることができる。
また、連結管を取り外し自在とすることで、清掃がしやく、嵩張る形状の連結管を用いる場合であっても、持ち運びも容易である。さらに、破損した場合であっても、破損した部品のみを交換すればよいため、経済的である。
【００３７】
前記連結管７は、ネジ式で（図４に示す、ノズル８の８ａと連結管７の７ａとの接続と同様に）、直接竿丈パイプ３に取り付けられていてもよいが、連結部材９を介して、可動自在に、竿丈パイプ３に取り付けられているのが好ましい。
【００３８】
連結部材９は、第二の水通路（竿状パイプ３）から第三の水通路（連結管７）へと水を通すと同時に、連結管７の向きや角度を変更できるようにするためのものである。
連結部材９によって、連結管７の向きや角度を変更し、連結管７に設置されているノズル８の向きを自由に決定することができるため、散水器の使用目的、使用場所、水圧等に合わせて、散水方向、散水範囲等を自在に調節することができる。
【００３９】
連結部材９としては、特に制約はなく、ボールヘッドを有するボールジョイントからなるもの、可撓性ホース等屈曲自在な部材を使用した屈曲部を有するもの等、各種形態のものを使用することができる。
なかでも、連結部材９としては、耐久性に優れることから、ボールジョイントからなる、金属製のものを用いるのが好ましい。
【００４０】
図５に、ボールジョイントからなる連結部材９の一例を示す。
図５の連結部材９は、竿状パイプ３の所定の位置に設けられたネジ孔３ｂ（オスネジ）と連結する、内側にネジ孔を有する連結具９ａ（メスネジ）と、ボールヘッド９ｂを一端に有する通水管９ｃと、連結管７の連結口の内側に設けられたネジ孔７ｂと連結するためのネジ孔９ｄを有する。
【００４１】
連結部材を用いることにより、連結管７を竿状パイプ３に可動自在に取り付けることができる。例えば、連結部材９により、前記複数のノズルを有する連結管７を所定位置に配向させることにより、水を前記ノズルから所定方向に噴霧させると同時に、前記竿状パイプ３を水平方向に回転させることができるし、回転させないようにすることもできる。
【００４２】
竿丈パイプ３に、竿丈パイプ３の中央から長手方向に左右対称となるように、可動自在に、連結部材９を介して合計４つの連結管（リング状管）７が取り付けられている散水器の例を図６に示す。
図６（ａ）に示す散水器では、竿丈パイプ３の中央部から紙面左側に設置された２つのリング状管の向きは、ノズルから水が手前側に噴霧されるように調節されている。また、竿丈パイプ３の中央部から紙面右側に設置された２つのリング状管の向きは、前記紙面左側に設置された２つのリング状管とは反対の向きにして、ノズルから水が紙面後ろ側に噴霧されるように調節されている。
このようにリング状管の向きを設定することで、ノズルから水が噴霧されると、水の噴流の反力で、竿丈パイプ３を、紙面に示す回転矢印の方向に回転させることができる。
竿丈パイプ３が回転しながら、ノズルから水が噴霧されることにより、より広範囲、かつ、均一に散水することができる。
【００４３】
また、図６（ｂ）に示すように、竿丈パイプ３に設置されたすべてのリング状管を同じ方向（図６（ｂ）においては、紙面手前側）に向け、ノズルの向きを揃えることで、ノズルから同じ方向に水が噴霧され、竿丈パイプ３を回転しないようにすることもできる。
このように、設置場所に合わせて、竿丈パイプ３を回転させることも、回転させないようにすることも可能である。
【００４４】
また、連結部材９は取り外しが可能であるため、清掃が容易で、破損した場合等に、その部品のみを交換することができ、経済的である。
【符号の説明】
【００４５】
１・・・水供給スタンド
２・・・接続部
２ａ、２ｃ、２ｅ、２ｈ・・・ネジ孔
２ｂ・・・案内管
２ｄ・・・ボールジョイント部
２ｆ・・・ボールヘッド
２ｇ・・・ボールジョイント部の通水管
３・・・竿丈パイプ
３ａ・・・竿状パイプの中央ネジ孔
３ｂ・・・竿状パイプのネジ孔
４ａ、４ｂ・・・ジョイント
５・・・第一の水通路
５ａ・・・第一の水通路の上端ネジ孔
６・・・スタンド部
７・・・連結管
７ａ、７ｂ・・・連結管のネジ孔
８・・・ノズル
８ａ・・・ノズルのネジ孔
９・・・連結部材
９ａ・・・連結部材の連結具
９ｂ・・・連結部材のボールヘッド
９ｃ・・・連結部材の通水管
９ｄ・・・連結部材のネジ孔
１０・・・水供給用の送水ホース
【図１】
0003232135.tif 000003
【図２】
0003232135.tif 000004
【図３】
0003232135.tif 000005
【図４】
0003232135.tif 000006
【図５】
0003232135.tif 000007
【図６】
0003232135.tif 000008